【手続補正書】
【提出日】平成17年10月24日(2005.10.24)
【手続補正１】
【補正対象書類名】特許請求の範囲
【補正対象項目名】全文
【補正方法】変更
【補正の内容】
【特許請求の範囲】
【請求項１】
（１）約０．７ＧＰａと約５ＧＰａの間の引張り強さを有し、ポリエチレンが約５ｄｂ／ｇと約５０ｄｂ／ｇの間の固有粘度を有し、
（２）延伸し、フィブリル化し、スリットして、
（１）テープ表面全体の約５％と約９０％の間のフィブリル化密度、
（２）約０．０３５インチと約０．１２インチの間の幅、
（３）約０．００１インチと約０．００４インチの間の厚さ、および
（４）約２００と約６００の間のデニール
を有する歯間用具として使用するのに適したマイクロメッシュ状テープにされており、
かつ前記マイクロメッシュ状歯間用具が、約１０ｍｇ／ｙｄと約１２０ｍｇ／ｙｄの間の口腔ケア物質でコーティングされており、フロス清掃中に、超破砕耐性および少なくとも約２の捕捉係数を示しながら、実質的量の前記コーティングを放出する、超高分子量ポリエチレンフィルム。
【請求項２】
前記延伸が延伸手段によって行われ、全延伸比が約８０倍と約２００倍の間である請求項１に記載の超高分子量ポリエチレンフィルム。
【請求項３】
前記フィブリル化が図５および６中に示されるフィブリル化用装置によって行われる請求項１に記載の超高分子量ポリエチレンフィルム。
【請求項４】
口腔ケア物質による前記コーティングが、圧縮装填、注入装填および接触装填、ならびにこれらの組合せからなる群から選択されるコーティング手段によって行われる請求項１に記載のコーティングされた超高分子量ポリエチレン製のマイクロメッシュ状歯間用具。
【請求項５】
前記口腔ケアコーティング物質が、高溶融粘度混合物、高溶融粘度乳濁液、中溶融粘度混合物、中溶融粘度乳濁液、低溶融粘度混合物および低溶融粘度乳濁液、およびこれらの組合せからなる群から選択される請求項１に記載のコーティングされた超高分子量ポリエチレン製のマイクロメッシュ状歯間用具。
【請求項６】
前記高溶融粘度混合物および高溶融粘度乳濁液が、前記マイクロメッシュ中に約１０ｍｇ／ｙｄと約１２０ｍｇ／ｙｄの間の量で圧縮装填され、前記高溶融粘度混合物および乳濁液が、嗜好物質、洗浄剤、化学療法剤、Ｓｏｆｔ  Ａｂｒａｓｉｖｅｓ（商標）およびこれらの混合物からなる群から選択される口腔ケア物質を含む、唾液に可溶な、実質的に結晶を含まないコーティングからなる請求項５に記載のコーティングされた超高分子量ポリエチレン製のマイクロメッシュ状歯間用具。
【請求項７】
前記中溶融粘度混合物および中溶融粘度乳濁液が、前記マイクロメッシュ中に約１０ｍｇ／ｙｄと約１２０ｍｇ／ｙｄの間の量で注入装填され、前記中溶融粘度混合物および乳濁液が、
（１）嗜好物質、洗浄剤、化学療法剤、Ｓｏｆｔ  Ａｂｒａｓｉｖｅｓ（商標）およびこれらの混合物からなる群から選択される口腔ケア物質を含む、唾液に可溶な、実質的に結晶を含まないコーティング、
（２）嗜好物質、洗浄剤、化学療法剤、Ｓｏｆｔ  Ａｂｒａｓｉｖｅｓ（商標）およびこれらの混合物からなる群から選択される口腔ケア物質を含む、唾液によりゲル化し、緩徐溶解性の混合物、および
（３）（ａ）と（ｂ）の混合物
からなる群から選択されるコーティングからなる請求項５に記載のコーティングされた超高分子量ポリエチレン製のマイクロメッシュ状歯間用具。
【請求項８】
前記低溶融粘度乳濁液が、前記マイクロメッシュに約１０ｍｇ／ｙｄと約１２０ｍｇ／ｙｄの間の量で接触装填され、前記低溶融粘度混合物および乳濁液が、
唾液に可溶なコーティング、
唾液に不溶なコーティング、および
（ａ）と（ｂ）の混合物
からなる群から選択されるコーティングからなる請求項５に記載のコーティングされた超高分子量ポリエチレン製のマイクロメッシュ状歯間用具。
【請求項９】
テープ用の計量分配手段が、ボビン系計量分配装置および１回量計量分配装置からなる群から選択される、歯間用具として使用するのに適した超高分子量ポリエチレン製のマイクロメッシュテープ。
【請求項１０】
約０．７ＧＰａと約５ＧＰａの間の引張り強さを有する延伸ポリエチレンテープをフィブリル化することによって製造され、前記ポリエチレンが約５ｄｌ／ｇと約５０ｄｌ／ｇの間の固有粘度を有し、用具が約１０ｍｇ／ｙｄと約１２０ｍｇ／ｙｄの間の装填量の、唾液に可溶で実質的に結晶を含まないコーティングによってコーティングされている、超高分子量ポリエチレン製の切断耐性マイクロメッシュ状歯間用具。
【請求項１１】
前記延伸ポリエチレンテープを約１ｍ／分と約１０００ｍ／分の間の移動速度で動かし、前記フィブリル化を、フィブリル化時に前記ポリエチレンテープと接触するように位置決めされ、約１０ｍ／分と約３０００ｍ／分の間の回転線速度で動く回転式フィブリル化装置を用いて同時に行い、前記コーティングを約１ヤード／秒と約５ヤード／秒の間で行う請求項１に記載のマイクロメッシュ状歯間用具を製造する方法。
【請求項１２】
コーティングチャンバー中に前記フィブリル化テープを通し、その後前記コーティングされたフィブリル化テープを、並列熱ローラーの間に圧縮条件下で通すことにより、前記フィブリル化テープに圧縮装填する請求項１１に記載のマイクロメッシュ状歯間用具を製造する方法。
【請求項１３】
前記口腔ケアコーティング物質が、
ラウリル硫酸ナトリウム、
ラウリルサルコシンナトリウム、
ステアリン酸ポリエチレングリコール、
モノステアリン酸ポリエチレングリコール、
ココヤシスルホン酸モノグリセリド、
アルキル硫酸ナトリウム、
アルキルスルホ酢酸ナトリウム、
ポリオキシエチレンとポリオキシブチレンのブロックコポリマー、
アリルポリグリコールエーテルカルボキシレート、
ソルビタンエステルのポリエチレン誘導体
プロポキシ化セチルアルコール
疎水部として少なくとも分子量１２００のポリオキシプロピレンポリマーを有する、ポリオキシプロピレンとポリオキシエチレンとの共役化合物の、同属性混合物を含むブロックコポリマー、
石鹸粉末、
およびこれらの混合物、
からなる群から選択される洗浄剤を含む請求項５に記載のマイクロメッシュ状歯間用具。
【請求項１４】
前記口腔ケアコーティング物質が、
ミクロクリスタリンワックス、
パラフィンワックス、
カルナウバ、蜜蝋および他の天然ワックス、
動植物性油脂、
低融点で口腔適合性のポリマーおよびコポリマー
を含む唾液に不溶な配合調節剤；
液体ポリエチレングリコール、
固体ポリエチレングリコール、
液体ポリプロピレングリコール、
固体ポリプロピレングリコール、
トリアセチン、および
ヒドロキシエチルセルロース、
ヒドロキシプロピルセルロース、
セルロースのカルボキシ誘導体
を含む低融点の水溶性ポリマー
を含む、いわゆる水溶性ワックスを含めた唾液に可溶な配合調節剤、ならびに口腔適合性の唾液ゲル化性または水溶性の様々な樹脂のコポリマーからなる群から選択される配合調節剤を含む請求項５に記載のマイクロメッシュ状歯間用具。
【請求項１５】
前記口腔ケアコーティング物質が、
（１）抗歯石物質、ＭＩＣＲＯＤＥＮＴ（登録商標）、ＵＬＴＲＡＭＵＬＳＩＯＮ（登録商標）、ピロリン酸四ナトリウム（ＴＳＰＰ）、ピロリン酸四カリウム、およびこれらの混合物；
（２）第１世代抗生物膜剤、酸素添加化合物、第四級アンモニウム化合物、フェノール化合物および植物アルカノイドの中で、
塩化ベンゼトニウムおよび塩化セチルピリジニウム
サリチル酸メチル、安息香酸およびホウ酸およびフェノールの混合物中のチモールおよびオイカプリトール、
芳香油、
塩化亜鉛を含むケッコンソウのエキス、および
トリクロサン
からなる群から選択されもの；
（３）第２世代抗生物膜剤、クロルヘキシジン、アレキシジン、オクテニジンおよびフッ化第一スズ；
（４）脱感作剤、ＮＳＡＩＤ、抗生物質、口腔カンジダ症治療剤、カリエス治療剤、抗菌剤、ＣＯＸ−２物質；
（５）口腔乾燥緩和剤；
（６）ＮＳＡＩＤ；
（７）抗生物質；および
これらの混合物、
からなる群から選択される化学療法成分を含む請求項５に記載のマイクロメッシュ状歯間用具。
【請求項１６】
前記口腔ケアコーティング物質が、
リン酸二カルシウム（ＤＣＰ）、
軽石
ケイ酸アルミニウム、
シリカ、
ガラスビーズ、
酸化チタン、
米粉、
ヘキサメタリン酸ナトリウム、
石英、
ノバキュライト、
炭化ケイ素、
アルミナジルコニア、
アルミナ、
研磨用アルミナ、
焼成酸化アルミニウム、
シリコンジルコニウム酸化物、および
これらの混合物、
からなる群から選択されるＳｏｆｔ  Ａｂｒａｓｉｖｅｓ（商標）を含む請求項５に記載のマイクロメッシュ状歯間用具。
【請求項１７】
前記マイクロメッシュ状構造が、図１ａ〜１ｆに示す構造およびそれらの組合せの群から選択される請求項１に記載のマイクロメッシュ状歯間用具。
【請求項１８】
実質的に結晶を含まず、実質的なフレーキングがない前記コーティングの維持を担う添加剤が、
１−デカノール  １−ヘプタデカノール  １−ペンタコサノール
１−ウンデカノール  １−オクタデカノール  １−ヘキサコサノール
１−ドデカノール  １−ノナデカノール  １−ヘプタコサノール
１−テトラデカノール  １−エイコサノール  １−オクタコサノール
１−ペンタデカノール  １−ヘンエイコサノール  １−ノナコサノール
１−ヘキサデカノール  １−トリコサノール  １−トリアコサノール
１−テトラコサノール、およびこれらの混合物、
からなる群から選択される脂肪族長鎖脂肪アルコールである請求項６に記載のマイクロメッシュ状歯間用具。
【請求項１９】
結晶を含まない前記コーティングの維持を担う添加剤が、以下の一般式を有する液体界面活性剤であって、
【化１】
2005532843.tif 000001
上式でＲ１、Ｒ２、Ｒ３、Ｒ４がＨ、または１０〜３０個の炭素原子を有する脂肪族アシル基であり、ｗ、ｘ、ｙおよびｚの合計が２０と８０の間である液体界面活性剤である請求項６に記載のマイクロメッシュ状歯間用具。
【請求項２０】
約０．７ＧＰａと約５ＧＰａの間の引張り強さを有する延伸ポリエチレンテープをフィブリル化することによって製造され、前記ポリエチレンが約５ｄｌ／ｇと約５０ｄｌ／ｇの間の固有粘度を有し、用具が約１０ｍｇ／ｙｄと約１２０ｍｇ／ｙｄの間の装填量の口腔ケア物質によってコーティングされている、切断耐性で超高分子量ポリエチレン製のマイクロメッシュ状歯間用具を用いて定期的にフロス清掃することを含む、口腔の歯間および歯肉下領域を清掃する方法。
【請求項２１】
Ｓｏｆｔ  Ａｂｒａｓｉｖｅｓ（商標）および約０．２ｍｇ／ｙｄと約２．０ｍｇ／ｙｄの間のクロルヘキシジンを含む唾液に可溶な、結晶を含まないコーティングを圧縮装填した、マイクロメッシュ状歯間用具を用いて定期的にフロス清掃することを含む、クロルヘキシジンを用いて口腔の歯間および歯肉下領域を治療する方法。
【請求項２２】
Ｓｏｆｔ  Ａｂｒａｓｉｖｅｓ（商標）および約１〜約３のフッ化第一スズを含む唾液に可溶な、結晶を含まないコーティングを圧縮装填した、マイクロメッシュ状歯間用具を用いて定期的にフロス清掃することを含む、フッ化第一スズを用いて口腔の歯間および歯肉下領域を治療する方法。
【手続補正２】
【補正対象書類名】明細書
【補正対象項目名】００７０
【補正方法】変更
【補正の内容】
【００７０】
本発明の結晶を含まないコーティングに適した脂肪族長鎖の、脂肪アルコールは、構造式ＲＯＨによって表すことができ、前式でＲは２０〜３０個の炭素原子を有する長鎖のアルキル基を表す。具体例には以下のものがある：
１−デカノール  １−ヘプタデカノール  １−ペンタコサノール
１−ウンデカノール  １−オクタデカノール  １−ヘキサコサノール
１−ドデカノール  １−ノナデカノール  １−ヘプタコサノール
１−テトラデカノール  １−エイコサノール  １−オクタコサノール
１−ペンタデカノール  １−ヘンエイコサノール  １−ノナコサノール
１−ヘキサデカノール  １−トリコサノール  １−トリアコサノール
１−テトラコサノール、およびこれらの混合物。